【手続補正書】
【提出日】平成16年11月12日(2004.11.12)
【手続補正１】
【補正対象書類名】明細書
【補正対象項目名】特許請求の範囲
【補正方法】変更
【補正の内容】
【特許請求の範囲】
【請求項１】
中空の支持碍管と複数の収納碍管とを備えた金属製容器と、
上記各収納碍管内にそれぞれ固定される固定電極と、上記固定電極と離接自在に収納された可動電極を有する遮断器及び断路器の接点と、
前記金属製容器、支持碍管及び収納碍管に封入される絶縁性ガスと、
前記支持碍管内に収納された絶縁操作ロッドと、
前記支持碍管の他端に設けられた機構箱と、
前記機構箱内に収納された液圧駆動の液圧操作装置と、
前記金属製容器内に設けられた連結機構部とを備え、
前記液圧操作装置の操作力を前記絶縁操作ロッドから連結機構部を介して可動電極に伝達し、前記遮断器及び断路器の各接点を開閉操作可能に構成したことを特徴とする複合型液圧駆動装置。
【請求項２】
前記液圧操作装置は、高圧流体の給排に応動して遮断器及び断路器の接点を開閉駆動する複数の液圧シリンダと、
前記各液圧シリンダを独立して駆動制御する複数の液圧制御弁と、
これら複数組の液圧シリンダ及び液圧制御弁に対して共通に供給される高圧作動液を貯留するアキュムレータと、
このアキュムレータ内に高圧作動液を供給するポンプと、
前記液圧シリンダから排出される低圧液を蓄える低圧タンクとを備えることを特徴とする請求項１記載の複合型液圧駆動装置。
【請求項３】
前記液圧操作装置は、前記遮断器の接点を開閉駆動する遮断器用液圧操作部と、前記断路器の接点を開閉駆動する断路器用液圧操作部とを具備し、前記遮断器用液圧操作部側に前記液圧シリンダを形成するマニホールドを備え、前記マニホールドにアキュムレータ、ポンプ、低圧タンク及び前記断路器用液圧操作部が着脱可能に取付けられたことを特徴とする請求項１または２記載の複合型液圧駆動装置。
【請求項４】
前記液圧操作装置は、前記遮断器の接点を開閉駆動する遮断器用液圧操作部と、前記断路器の接点を開閉駆動する断路器用液圧操作部とを具備し、前記断路器用液圧操作部と前記遮断器用液圧操作部とを互いに液圧配管で接続したことを特徴とする請求項１または２記載の複合型液圧駆動装置。
【請求項５】
前記アキュムレータの高圧作動液が喪失した際に、前記液圧シリンダに摺動自在に挿入された液圧ピストンの位置を保持するピストン保持機構が設けられたことを特徴とする請求項２に記載の複合型液圧駆動装置。
【請求項６】
前記液圧ピストンに接続された駆動ロッド上に一体的に取付けたフランジと前記機構箱内に設けた支持部とを伸縮自在に連結する伸縮ロッドを設け、この伸縮ロッドの周囲には、前記液圧ピストンの位置を弾力的に保持する弾性体を備えたことを特徴とする請求項２に記載の複合型液圧駆動装置。
【請求項７】
前記液圧ピストンに接続された駆動ロッドと前記機構箱内に固定された支持部には、それぞれ合致可能な孔が形成され、合致した２つの前記孔に対してロックピンを挿入することにより、前記液圧ピストンの位置が保持されるように構成したことを特徴とする請求項２に記載の複合型液圧駆動装置。
【請求項８】
前記液圧操作装置は、前記遮断器の接点を開閉駆動する遮断器用液圧操作部と、前記断路器の接点を開閉駆動する断路器用液圧操作部とを具備し、前記断路器用液圧操作部の液圧ピストンの片側に連結したピストンロッドを貫通摺動させると共に、前記液圧シリンダの一端を支持固定したシリンダヘッドを前記機構箱内に設け、前記シリンダヘッドには、前記液圧制御弁を取付けたことを特徴とする請求項２に記載の複合型液圧駆動装置。
【請求項９】
前記液圧操作装置は、前記遮断器の接点を開閉駆動する遮断器用液圧操作部と、前記断路器の接点を開閉駆動する断路器用液圧操作部とを具備し、前記断路器用液圧操作部の液圧シリンダの外側に、外シリンダを略同心円状に設けて２重円筒を形成し、前記２重円筒間の環状隙間が、前記液圧シリンダ内のシリンダ室に液圧制御弁から高圧作動流体を給排する制御流路となるよう構成したことを特徴とする請求項２記載の複合型液圧駆動装置。
【請求項１０】
前記液圧操作装置は、前記遮断器の接点を開閉駆動する遮断器用液圧操作部と、前記断路器の接点を開閉駆動する断路器用液圧操作部とを具備し、前記断路器用液圧操作部の液圧シリンダが、前記機構箱内に固定されたシリンダヘッドに取付けられ、前記液圧シリンダのシリンダヘッドの反対側に、液圧制御弁が設けられたことを特徴とする請求項２に記載の複合型液圧駆動装置。
【請求項１１】
前記液圧操作装置は、前記遮断器の接点を開閉駆動する遮断器用液圧操作部と、前記断路器の接点を開閉駆動する断路器用液圧操作部とを具備し、前記断路器用液圧操作部の液圧シリンダが、前記機構箱内に固定されたシリンダヘッドに取付けられ、前記液圧シリンダのシリンダヘッドの反対側に、液圧制御弁が設けられ、かつ、前記断路器用液圧操作部の液圧シリンダの外側に外シリンダを略同心円状に設けて２重円筒を形成し、前記２重円筒間の環状隙間が、前記アキュムレータから液圧シリンダ内のシリンダ室に高圧流体を常時供給する高圧流路となるよう構成したことを特徴とする請求項２記載の複合型液圧駆動装置。
【請求項１２】
前記液圧操作装置は、前記遮断器の接点を開閉駆動する遮断器用液圧操作部と、前記断路器の接点を開閉駆動する断路器用液圧操作部とを具備し、前記断路器用液圧操作部の液圧ピストンに連結したピストンロッドを貫通摺動させると共に、前記液圧シリンダを固定したシリンダヘッドを機構箱内に設け、前記シリンダヘッドには、液圧制御弁を取付け、この液圧制御弁の動作軸と、前記液圧ピストンの動作軸とが互いに直交するように構成したことを特徴とする請求項２に記載の複合型液圧駆動装置。
【請求項１３】
前記液圧操作装置は、前記遮断器の接点を開閉駆動する遮断器用液圧操作部と、前記断路器の接点を開閉駆動する断路器用液圧操作部とを具備し、前記遮断器用液圧操作部と前記断路器用液圧操作部を連結する高圧及び低圧流路の途中に少なくとも１個以上の開閉弁を設けたことを特徴とする請求項２に記載の複合型液圧駆動装置。
【請求項１４】
前記液圧操作装置は、前記遮断器の接点を開閉駆動する遮断器用液圧操作部と、前記断路器の接点を開閉駆動する断路器用液圧操作部とを具備し、前記遮断器用液圧操作部と前記断路器用液圧操作部を連結する高圧及び低圧流路を可撓性配管で形成し、途中に少なくとも１個以上の逆止弁付きのコネクターを備えたことを特徴とする請求項２に記載の複合型液圧駆動装置。
【請求項１５】
前記液圧操作装置は、前記遮断器の接点を開閉駆動する遮断器用液圧操作部と、前記断路器の接点を開閉駆動する断路器用液圧操作部とを具備し、前記遮断器用液圧操作部または前記断路器用液圧操作部に少なくとも１個以上の電動または手動のポンプを備えた補助液圧源を接続可能に構成したことを特徴とする請求項２に記載の複合型液圧駆動装置。
【請求項１６】
前記液圧操作装置は、前記遮断器の接点を開閉駆動する遮断器用液圧操作部と、前記断路器の接点を開閉駆動する断路器用液圧操作部とを具備し、前記遮断器用液圧操作部または前記断路器用液圧操作部に少なくとも１個以上の電動または手動のポンプを備える補助液圧源と、高圧作動液を蓄える補助アキュムレータと、前記液圧シリンダから排出される低圧液を蓄える補助タンクとを接続可能に構成したことを特徴とする請求項２記載の複合型液圧駆動装置。
【手続補正２】
【補正対象書類名】明細書
【補正対象項目名】０００２
【補正方法】変更
【補正の内容】
【０００２】
【従来の技術】
近年、電力用開閉装置にて主流を占めるガス絶縁開閉装置は、絶縁性ガスを充填した容器内に多数のスイッチ類を配置した装置であり、１回線の構成中には、短絡事故が発生した場合にその短絡電流を遮断する遮断器と、遮断器が短絡電流を遮断した後に開いて絶縁を確保する断路器がある。断路器は、遮断器と主母線との間、あるいは遮断器と送電線との間に設置される様々なタイプが提案されている。
【手続補正３】
【補正対象書類名】明細書
【補正対象項目名】００２５
【補正方法】変更
【補正の内容】
【００２５】
上述の課題を解決するために、本発明に係る複合型液圧駆動装置は、請求項２に記載のように、前記液圧操作装置は、高圧流体の給排に応動して遮断器及び断路器の接点を開閉駆動する複数の液圧シリンダと、前記各液圧シリンダを独立して駆動制御する複数の液圧制御弁と、これら複数組の液圧シリンダ及び液圧制御弁に対して共通に供給される高圧作動液を貯留するアキュムレータと、このアキュムレータ内に高圧作動液を供給するポンプと、前記液圧シリンダから排出される低圧液を蓄える低圧タンクとを備えることを特徴とする。
【手続補正４】
【補正対象書類名】明細書
【補正対象項目名】００３１
【補正方法】変更
【補正の内容】
【００３１】
上述の課題を解決するために、本発明に係る複合型液圧駆動装置は、請求項５に記載のように、前記アキュムレータの高圧作動液が喪失した際に、前記液圧シリンダに摺動自在に挿入された液圧ピストンの位置を保持するピストン保持機構が設けられたことを特徴とする。
【手続補正５】
【補正対象書類名】明細書
【補正対象項目名】００３３
【補正方法】変更
【補正の内容】
【００３３】
上述の課題を解決するために、本発明に係る複合型液圧駆動装置は、請求項６に記載のように、前記液圧ピストンに接続された駆動ロッド上に一体的に取付けたフランジと前記機構箱内に設けた支持部とを伸縮自在に連結する伸縮ロッドを設け、この伸縮ロッドの周囲には、前記液圧ピストンの位置を弾力的に保持する弾性体を備えたことを特徴とする。
【手続補正６】
【補正対象書類名】明細書
【補正対象項目名】００３５
【補正方法】変更
【補正の内容】
【００３５】
上述の課題を解決するために、本発明に係る複合型液圧駆動装置は、請求項７に記載のように、前記液圧ピストンに接続された駆動ロッドと前記機構箱内に固定された支持部には、それぞれ合致可能な孔が形成され、合致した２つの前記孔に対してロックピンを挿入することにより、前記液圧ピストンの位置が保持されるように構成したことを特徴とする。
【手続補正７】
【補正対象書類名】明細書
【補正対象項目名】００３７
【補正方法】変更
【補正の内容】
【００３７】
上述の課題を解決するために、本発明に係る複合型液圧駆動装置は、請求項８に記載のように、前記液圧操作装置は、前記遮断器の接点を開閉駆動する遮断器用液圧操作部と、前記断路器の接点を開閉駆動する断路器用液圧操作部とを具備し、前記断路器用液圧操作部の液圧ピストンの片側に連結したピストンロッドを貫通摺動させると共に、前記液圧シリンダの一端を支持固定したシリンダヘッドを前記機構箱内に設け、前記シリンダヘッドには、前記液圧制御弁を取付けたことを特徴とする。
【手続補正８】
【補正対象書類名】明細書
【補正対象項目名】００４５
【補正方法】変更
【補正の内容】
【００４５】
上述の課題を解決するために、本発明に係る複合型液圧駆動装置は、請求項１２に記載のように、前記液圧操作装置は、前記遮断器の接点を開閉駆動する遮断器用液圧操作部と、前記断路器の接点を開閉駆動する断路器用液圧操作部とを具備し、前記断路器用液圧操作部の液圧ピストンに連結したピストンロッドを貫通摺動させると共に、前記液圧シリンダを固定したシリンダヘッドを機構箱内に設け、前記シリンダヘッドには、液圧制御弁を取付け、この液圧制御弁の動作軸と、前記液圧ピストンの動作軸とが互いに直交するように構成したことを特徴とする。
【手続補正９】
【補正対象書類名】明細書
【補正対象項目名】００５０
【補正方法】変更
【補正の内容】
【００５０】
上述の課題を解決するために、本発明に係る複合型液圧駆動装置は、請求項１６に記載のように、前記液圧操作装置は、前記遮断器の接点を開閉駆動する遮断器用液圧操作部と、前記断路器の接点を開閉駆動する断路器用液圧操作部とを具備し、前記遮断器用液圧操作部または前記断路器用液圧操作部に少なくとも１個以上の電動または手動のポンプを備える補助液圧源と、高圧作動液を蓄える補助アキュムレータと、前記液圧シリンダから排出される低圧液を蓄える補助タンクとを接続可能に構成したことを特徴とする。